(57)【要約】【課題】コネクタハウジングの前端の開口部の寸法を従来よりも小さくできるコネクタを提供する。【解決手段】短絡端子１４０は、サブハウジング１２０に短絡端子１４０を装着した状態で、サブハウジング１２０を雄ハウジング１１０の嵌合部１１５に嵌合させることにより、雄ハウジング１１０内の雄端子１３０と接触可能な位置に装着される。雄コネクタ１００と雌コネクタ２００との嵌合方向と直交する方向に開口した嵌合部１１５から短絡端子１４０を雄ハウジング１１０内に装着する構成を採用したことにより、雄ハウジング１１０の前端側の開口部１１０ａから短絡端子１４０を装着していた従来のコネクタと比較して開口部１１０ａの寸法を小さくすることができる。【選択図】図１
2018045833.tif 000002
【特許請求の範囲】
【請求項１】
複数の端子収容室を有するコネクタハウジングと、
前記端子収容室に収容される端子と、
収容された前記端子を前記端子収容室に保持するリテーナ部と、
収容された少なくとも二つの前記端子と接触することにより、当該二つの端子を短絡状態にする短絡端子と、
前記短絡端子が装着されるサブハウジングと、
を備えたコネクタであって、
前記コネクタハウジングには、前記端子収容室に開口し、該コネクタハウジングと相手方コネクタハウジングとの嵌合方向と直交する方向に前記サブハウジングが嵌合される嵌合部を有し、
前記サブハウジングには、該サブハウジングが前記コネクタハウジングに嵌合された状態で、前記端子を保持する位置に前記リテーナ部が形成されているとともに前記短絡端子が少なくとも二つの前記端子と接触する位置に該短絡端子が装着されていることを特徴とするコネクタ。
【請求項２】
前記相手方コネクタハウジングは、前記コネクタハウジングに嵌合された状態で、前記短絡端子に接触して当該短絡端子を変形させることにより前記短絡状態を解除する短絡解除部材が形成されていることを特徴とする、請求項１に記載のコネクタ。
【請求項３】
前記サブハウジングは、外周に装着され、前記嵌合部に嵌合された状態で該嵌合部の内壁に密着するシール部材を有することを特徴とする、請求項１又は２に記載のコネクタ。
【請求項４】
前記リテーナ部及び前記端子は、それぞれ係止部を有し、
前記サブハウジングが前記コネクタハウジングに嵌合された状態で、前記リテーナ部の係止部と前記端子の係止部とが係止することを特徴とする、請求項１乃至３のいずれか１項に記載のコネクタ。
【発明の詳細な説明】
【技術分野】
【０００１】
本発明は、車両用ワイヤハーネス等の接続に用いられるコネクタに関する。
【背景技術】
【０００２】
従来、車両に配索される電線同士を接続するコネクタとして、コネクタ間の結合状態を検知できるものがある。図１０には、自動車のエアバック等の配線系統に使用されるコネクタにおいて、雄コネクタ５１０と雌コネクタ５２０との結合状態を電気的に検知できる従来のコネクタ５００の構造が例示されている。
雄コネクタ５１０は、雄コネクタハウジング（以下、雄ハウジング５１１と記す）と、一対の雄端子５１２（一方のみ図示、以下同様）とを有する。雄ハウジング５１１の内側には、雌コネクタ５２０が挿入されるコネクタ嵌合室５１３が形成されている。コネクタ嵌合室５１３には、一対の雄端子５１２の間に介在する隔壁５１４と、隔壁５１４と一体に形成された絶縁片５１５とが形成されている。雄端子５１２は、その先端がコネクタ嵌合室５１３内に突出して配置されている。雄端子５１２の後端側には電線５１６が圧着されている。
【０００３】
雌コネクタ５２０は、雌コネクタハウジング（以下、雌ハウジング５２１と記す）と、一対の雌端子５２２（一方のみ図示、以下同様）と、一対の雌端子５２２間を短絡する短絡端子５２３とを有する。短絡端子５２３には弾性アーム部５２４が形成されている。雌端子５２２の後端側には電線５２５が圧着されている。
【０００４】
雄コネクタ５１０と雌コネクタ５２０とが結合していない状態では、雌コネクタ５２０の雌端子５２２に短絡端子５２３の弾性アーム部５２４が接触し、一対の雌端子５２２間は短絡している。その状態から、雄コネクタ５１０と雌コネクタ５２０との結合を開始すると、雄端子５１２が雌端子５２２内に差し入れられる。このとき、絶縁片５１５が短絡端子５２３の弾性アーム部５２４に対し摺接しつつ結合方向に移動する。雄コネクタ５１０と雌コネクタ５２０との結合が完了すると、雄端子５１２と雌端子５２２との電気的な接続が完了する。それと同時に、図１１に示すように絶縁片５１５が弾性アーム部５２４を押し上げて雌端子５２２間の短絡を解除する。したがって、一対の雌端子５２２間の短絡が解除されたか否かを検知することにより、雄コネクタ５１０と雌コネクタ５２０とが正常に結合されたか否かを検知することができる。
【０００５】
また、雌端子５２２間を短絡することにより、静電気によりエアバック用のインフレータが誤作動することも防止できる。
【先行技術文献】
【特許文献】
【０００６】
【特許文献１】特開２００２−３０５０５７号公報
【発明の概要】
【発明が解決しようとする課題】
【０００７】
上記のように、従来のコネクタ５００は、短絡端子５２３による雌端子５２２、５２２間の短絡が解除されたか否かを検知することにより、雄コネクタ５１０と雌コネクタ５２０とが正常に結合されたか否かを検知することができる。
【０００８】
しかし、従来のコネクタ５００は、短絡端子５２３を雌ハウジング５２１の前端側の開口部５２１ａから雌ハウジング５２１内に組み付ける構造になっている。
このため、従来のコネクタ５００は、雌ハウジング５２１の前端側の開口部５２１ａの寸法を短絡端子５２３の寸法に合わせて選定する必要がある。その結果、開口部５２１ａの寸法ひいては雌ハウジング５２１の寸法が大きくなりやすい。また、開口部５２１ａの寸法が制限されると、既存の短絡端子５２３を雌ハウジング５２１に組み付けることができない場合がある。
【０００９】
本発明は、上述した事情に鑑みてなされたものであり、その目的は、コネクタハウジングの前端の開口部の寸法を従来よりも小さくすることができるコネクタを提供することにある。
【課題を解決するための手段】
【００１０】
前述した目的を達成するために、本発明に係るコネクタは、下記（１）〜（４）を特徴としている。
【００１１】
（１）  複数の端子収容室を有するコネクタハウジングと、
前記端子収容室に収容される端子と、
収容された前記端子を前記端子収容室に保持するリテーナ部と、
収容された少なくとも二つの前記端子と接触することにより、当該二つの端子を短絡状態にする短絡端子と、
前記短絡端子が装着されるサブハウジングと、
を備えたコネクタであって、
前記コネクタハウジングには、前記端子収容室に開口し、該コネクタハウジングと相手方コネクタハウジングとの嵌合方向と直交する方向に前記サブハウジングが嵌合される嵌合部を有し、
前記サブハウジングには、該サブハウジングが前記コネクタハウジングに嵌合された状態で、前記端子を保持する位置に前記リテーナ部が形成されているとともに前記短絡端子が少なくとも二つの前記端子と接触する位置に該短絡端子が装着されていること。
【００１２】
上記（１）の構成のコネクタは、サブハウジングのリテーナ部に短絡端子を装着した状態で、サブハウジングをコネクタハウジングの嵌合部に嵌合させることにより、短絡端子を少なくとも二つの端子と接触する位置に装着することができる。サブハウジングは、コネクタハウジングと相手方コネクタハウジングとの嵌合方向と直交する方向からコネクタハウジングに組み付けられる。
【００１３】
このように、サブハウジングに短絡端子を装着した状態で、サブハウジングを、コネクタハウジングと相手方コネクタハウジングとの嵌合方向と直交する方向からコネクタハウジングに組み付ける構成としたことにより、コネクタハウジングの前端側の開口部から短絡端子を装着していた従来のコネクタと比較してコネクタハウジングの前端側の開口部の寸法を小さくすることができる。換言すれば、当該開口部の寸法が制限される状況下でも、既存の短絡端子をコネクタハウジングに装着することができる。したがって、既存の短絡端子を種々のコネクタに流用することが可能となる。
【００１４】
（２）  上記（１）に記載のコネクタにおいて、前記相手方コネクタハウジングは、前記コネクタハウジングに嵌合された状態で、前記短絡端子に接触して当該短絡端子を変形させることにより前記短絡状態を解除する短絡解除部材が形成されていること。
【００１５】
上記（２）の構成のコネクタによれば、コネクタハウジングと相手方コネクタハウジングとを嵌合させる過程で、短絡解除部材が短絡端子に接触して当該短絡端子を変形させ、コネクタの結合が完了すると同時に、端子間の短絡状態が解除される。したがって、端子間の短絡状態が解除されたか否かを検知することにより、コネクタが正常に結合されたか否かを検知することができる。
【００１６】
（３）  上記（１）又は（２）に記載のコネクタにおいて、
前記サブハウジングは、外周に装着され、前記嵌合部に嵌合された状態で該嵌合部の内壁に密着するシール部材を有すること。
【００１７】
上記（３）の構成のコネクタによれば、サブハウジングを嵌合部に嵌合させることにより、嵌合部の内部がシールされる。したがって、嵌合部から複数の端子収容室への水分の浸入を防止することができる。
【００１８】
（４）  上記（１）乃至（３）のいずれかに記載のコネクタにおいて、
前記リテーナ部及び前記端子は、それぞれ係止部を有し、
前記サブハウジングが前記コネクタハウジングに嵌合された状態で、前記リテーナ部の係止部と前記端子の係止部とが係止すること。
【００１９】
上記（４）の構成のコネクタによれば、コネクタハウジングの嵌合部に嵌合させたサブハウジングより端子が保持されるので、端子を保持するための複雑な構造の保持部をコネクタハウジングに設ける必要がない。よって、コネクタハウジングの構造を簡素化することができる。
【発明の効果】
【００２０】
本発明によれば、コネクタハウジングの前端の開口部の寸法を従来よりも小さくすることができるコネクタを提供することができる。
【００２１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２２】
【図１】本発明の第１実施形態に係るコネクタの非結合状態を示す断面図である。
【図２】図１に示すコネクタのサブハウジングに短絡端子を装着した状態を示す斜視図である。
【図３】図１に示す雄端子の斜視図である。
【図４】図１に示すコネクタの雄端子間が短絡端子により短絡した状態を示す要部断面図である。
【図５】図４に示す状態が短絡解除部材により解除された状態を示す要部断面図である。
【図６】本発明の第２実施形態に係るコネクタの結合状態を示す断面図である。
【図７】本発明の第２実施形態に係るコネクタの結合状態を示す断面図である。
【図８】図６に示すコネクタの雄コネクタの分解斜視図である。
【図９】図６に示すコネクタの雄端子の斜視図である。
【図１０】従来のコネクタの非結合状態を示す断面図である。
【図１１】図１０に示すコネクタの雌端子間が短絡端子により短絡した状態を示す要部断面図である。
【発明を実施するための形態】
【００２３】
本発明に関する具体的な実施形態について、各図を参照しながら以下に説明する。
【００２４】
＜第１実施形態＞
まず、本発明の第１実施形態におけるコネクタ１について説明する。
図１に示すように、第１実施形態のコネクタ１は、互いに嵌合可能な雄コネクタ１００と雌コネクタ２００とで構成される。
【００２５】
雄コネクタ１００は、合成樹脂製の雄ハウジング１１０と合成樹脂製のサブハウジング１２０とを有する。
【００２６】
雄ハウジング１１０は、その前端側に開口部１１０ａを、後端側に開口部１１０ｂをそれぞれ有する。前端側の開口部１１０ａには、雌コネクタ２００の挿入部２１１が挿入される。雄ハウジング１１０の前端近傍外面には、雌コネクタ２００と係合する複数の係止突起１１４が設けられている。
【００２７】
雄ハウジング１１０内には、複数の端子収容室１１１（一の端子収容室のみ図示、以下同様）が形成されている。各端子収容室１１１には、雄端子１３０（一の雄端子のみ図示、以下同様）が一つずつ収容されている。各雄端子１３０には図示しない電線が圧着される。雄端子１３０は、電線が圧着された状態で、後端側の開口部１１０ｂから端子収容室１１１内に装着される。雄端子１３０の長手方向中央部には、両側部に形成された凹部のコネクタ結合方向前縁である端子側係止部１３１を有している。
【００２８】
雄ハウジング１１０内には、複数（この例では二つ）の短絡端子１４０が収容されている。短絡端子１４０は、複数の雄端子１３０に隣接させて設けられている。短絡端子１４０は、少なくとも二つの雄端子１３０と接触することにより、当該少なくとも二つの端子を短絡状態にする。各短絡端子１４０には、当該端子と接触する弾性アーム部１４１が形成されている。
【００２９】
雄ハウジング１１０は、サブハウジング１２０が嵌合される筒状の嵌合部１１５を有しており、嵌合部１１５の内部は、複数の端子収容室１１１に連通している。嵌合部１１５には、雄コネクタ１００と雌コネクタ２００との嵌合方向と直交する方向にサブハウジング１２０が嵌合している。雄ハウジング１１０の嵌合部１１５の前後には、一対の係止溝１１６が設けられている。
【００３０】
サブハウジング１２０は、図２に示すように、同形同寸の複数（この例では二つ）の短絡端子１４０を保持したリテーナ部１２１を有している。リテーナ部１２１には、雄端子１３０の端子側係止部１３１と係合するハウジング側係止部１２２が雄ハウジング１１０の嵌合方向に立設されている。サブハウジング１２０が雄ハウジング１１０に嵌合した状態において、ハウジング側係止部１２２が雄端子１３０の長手方向中央部に形成された凹部内まで延在することにより、雄端子１３０にコネクタ１の結合方向と反対方向（図１の右方向）に力が加わったとしても、端子側係止部１３１がハウジング側係止部１２２に当接し、雄ハウジング１１０からの雄端子１３０の抜け出しが阻止される。
【００３１】
サブハウジング１２０の外周部には、雄ハウジング１１０の嵌合部１１５の内面に密着する環状のシール部材１２３が設けられている。サブハウジング１２０には、雄ハウジング１１０の一対の係止溝１１６に嵌合して係止される一対の係止爪１２４が形成されている。
【００３２】
一方、雌コネクタ２００は、合成樹脂製の雌ハウジング２１０を有する。雌ハウジング２１０には、雄コネクタ１００の雄端子１３０と対応する複数の雌端子２３０（一のみ図示、以下同様）が収容されている。各雌端子２３０には図示しない電線が圧着される。雌端子２３０は、電線が圧着された状態で、雌ハウジング２１０の後端の開口部２１０ａから雌ハウジング２１０内に装着される。
【００３３】
雌ハウジング２１０は、雄ハウジング１１０内に挿入される挿入部２１１と、雄ハウジング１１０の前端部が挿入される外殻部２１２とを有する。挿入部２１１の前端は開口しており、その開口部２１１ａが、複数の雌端子２３０の収容空間と連通している。雄コネクタ１００と雌コネクタ２００とを結合させると、複数の雄端子１３０が挿入部２１１内に挿入され、複数の雌端子２３０と接続される。挿入部２１１の上壁は短絡解除部材２１３として機能する。外殻部２１２の開口部２１２ａの周縁部には、雄ハウジング１１０の複数の係止突起１１４と係合する係止部２１４が設けられている。
【００３４】
雄端子１３０は、例えば、銅や銅合金など導電性の金属板を所定形状に打ち抜き、曲げ加工等を施すことにより作製される。図３に示すように、雄端子１３０の先端側には、タブ状の電気接続部１３２が形成されており、後端側には、図示しない電線が圧着接続される圧着部１３３が形成されている。雄端子１３０のタブ状の電気接続部１３２は、端子収容室１１１に突出し、雌端子２３０の電気接続部２３１と接続可能になっている。
【００３５】
電気接続部１３２と圧着部１３３の間には、矩形筒状の端子箱部１３５が形成されている。また、端子箱部１３５には、短絡端子１４０の弾性アーム部１４１が押圧される天面１３７が形成されている。
【００３６】
圧着部１３３は、導体の周囲を外被で覆った電線の端部が圧着されて導通接続される。圧着部１３３は、導体加締め部１３３ａと、被覆加締め部１３３ｂとを有している。導体加締め部１３３ａは、外被から露出された導体に加締められ、被覆加締め部１３３ｂは、外被に加締められる。
【００３７】
図４に示すように、雄コネクタ１００と雌コネクタ２００とが結合していない状態では、雄コネクタ１００の少なくとも二つの雄端子１３０の端子箱部１３５に短絡端子１４０の弾性アーム部１４１が接触し、雄端子１３０間は短絡している。その状態から、雄コネクタ１００と雌コネクタ２００との結合を開始すると、雄端子１３０が雌端子２３０内に差し入れられる。このとき、雌コネクタ２００の短絡解除部材２１３が短絡端子１４０の弾性アーム部１４１に対し摺接しつつ結合方向に移動する。雄コネクタ１００と雌コネクタ２００との結合が完了すると、雄端子１３０と雌端子２３０との電気的な接続が完了する。そして、雄ハウジング１１０の係止突起１１４と雌ハウジング２１０の係止部２１４とが互いに係合し、雄コネクタ１００と雌コネクタ２００とが結合状態に保たれる。それと同時に、図５に示すように、短絡解除部材２１３が弾性アーム部１４１を押し上げて弾性変形させることにより、弾性アーム部１４１が端子箱部１３５から離隔し、雄端子１３０間の短絡が解除される。したがって、雄端子１３０間の短絡が解除されたか否かを検知することにより、雄コネクタ１００と雌コネクタ２００とが正常に結合されていることを確認することができる。
【００３８】
上記のように構成されたコネクタ１は、サブハウジング１２０のリテーナ部１２１に短絡端子１４０を装着した状態（図２）で、サブハウジング１２０を雄ハウジング１１０の嵌合部１１５に嵌合させることにより、短絡端子１４０を雄ハウジング１１０内に装着することができる。サブハウジング１２０は、雄コネクタ１００と雌コネクタ２００との嵌合方向と直交する方向から雄ハウジング１１０に組み付けられる。その際、サブハウジング１２０の一対の係止爪１２４を雄ハウジング１１０の一対の係止溝１１６と嵌合させて、サブハウジング１２０を雄ハウジング１１０に組み付けることにより、短絡端子１４０が雄端子１３０と接触可能な正確な姿勢及び位置に装着される。
【００３９】
このように、本実施形態に係るコネクタ１は、サブハウジング１２０に短絡端子１４０を装着した状態で、サブハウジング１２０を、雄コネクタ１００と雌コネクタ２００との嵌合方向と直交する方向から雄ハウジング１１０に組み付ける構成を有しているので、雄ハウジング１１０の前端側の開口部１１０ａから短絡端子１４０を装着していた従来のコネクタと比較して雄ハウジング１１０の前端側の開口部の寸法を小さくすることができる。換言すれば、開口部１１０ａの寸法が制限される状況下でも、既存の短絡端子１４０を雄ハウジング１１０に装着することができる。よって、既存の短絡端子１４０を種々のコネクタに流用することが可能となる。
【００４０】
また、上記構成によれば、雄ハウジング１１０の複数の端子収容室１１１に複数の雄端子１３０を収容させた状態で、サブハウジング１２０を雄ハウジング１１０に組み付けることにより、サブハウジング１２０のハウジング側係止部１２２が、雄ハウジング１１０に装着された複数の雄端子１３０の端子側係止部１３１に係合する。その結果、複数の雄端子１３０が雄ハウジング１１０内に離脱不能に保持される。
【００４１】
このように、サブハウジング１２０によって複数の雄端子１３０が雄ハウジング１１０内に保持される構成を採用したことにより、複数の雄端子１３０を保持するための複雑な構造の保持部（ランス部）を雄ハウジング１１０に設ける必要がない。よって、雄ハウジング１１０の構造を簡素化し、雄ハウジング１１０を従来よりも安価に製造することができる。
【００４２】
また、上記構成によれば、サブハウジング１２０には、雄ハウジング１１０の嵌合部１１５の内面に密着する環状のシール部材１２３が設けられているので、サブハウジング１２０を雄ハウジング１１０に組み付けることにより、複数の端子収容室１１１と連通する嵌合部１１５の内部がシールされる。よって、嵌合部１１５から複数の端子収容室１１１への水分の浸入を防止することができる。
【００４３】
＜第２実施形態＞
次に、本発明の第２実施形態におけるコネクタ２について説明する。
図６及び図７は、本発明の第２実施形態に係るコネクタの結合状態を互いに平行で異なる位置において切断した断面を示す断面図である。図６及び図７に示すように、第２実施形態のコネクタ２は、互いに嵌合可能な雄コネクタ３００と雌コネクタ４００とで構成される。
【００４４】
雄コネクタ１００は、合成樹脂製の雄ハウジング３１０と合成樹脂製のサブハウジング３２０とを有する。
【００４５】
雄ハウジング３１０は、前端側に開口部３１０ａを、後端側に開口部３１０ｂをそれぞれ有する。前端側の開口部３１０ａには、雌コネクタ４００の挿入部４１１が挿入される。雄ハウジング３１０の前端近傍外面には、雌コネクタ４００と係合する複数の係止突起３１４が設けられている。
【００４６】
雄ハウジング３１０内には、複数の端子収容室３１１（一の端子収容室のみ図示、以下同様）が形成されている。各端子収容室３１１には、雄端子３３０（一の雄端子のみ図示、以下同様）が一つずつ収容されている。
【００４７】
雄端子３３０は、例えば、銅や銅合金など導電性の金属板を所定形状に打ち抜き、曲げ加工等を施すことにより作製される。図９に示すように、雄端子３３０の先端側には、タブ状の電気接続部３３２が形成されており、後端側には、図示しない電線が圧着接続される圧着部３３３が形成されている。雄端子３３０のタブ状の電気接続部３３２は、端子収容室３１１に突出し、雌端子４３０の電気接続部４３１と接続可能になっている。雄端子３３０は、電線が圧着された状態で、後端側の開口部３１０ｂから端子収容室３１１内に装着される。
【００４８】
圧着部３３３は、導体の周囲を外被で覆った電線の端部が圧着されて導通接続される。圧着部３３３は、導体加締め部３３３ａと、被覆加締め部３３３ｂとを有している。導体加締め部３３３ａは、外被から露出された導体に加締められ、被覆加締め部３３３ｂは、外被に加締められる。
【００４９】
雄端子３３０の後端部には、端子収容室３１１の内壁に密着するシール部材３３４が設けられている。雄端子３３０の長手方向中央部には、両側部に形成された凹部のコネクタ結合方向前縁である端子側係止部３３１が形成されており、サブハウジング３２０と係合するようになっている。雄端子３３０の後端部には電線に圧着される圧着部３３３が形成されている。
【００５０】
雄ハウジング３１０は、サブハウジング３２０が嵌合される筒状の嵌合部３１５を有する。嵌合部３１５の内部は、複数の端子収容室３１１に連通している。嵌合部３１５には、雄コネクタ３００と雌コネクタ４００との嵌合方向と直交する方向にサブハウジング３２０が嵌合している。嵌合部３１５の開口端縁には、左右一対の嵌合溝３１６が設けられている。
【００５１】
サブハウジング３２０には、雄端子３３０の端子側係止部３３１と係合する二対のハウジング側係止部３２２が形成されており、各一対のハウジング側係止部３２２が、一つの雄端子３３０の両側部の端子側係止部３３１をそれぞれ係止する。
【００５２】
サブハウジング３２０の外周部には、サブハウジング３２０が雄ハウジング３１０に嵌合された状態において嵌合部３１５の内面に密着する環状のシール部材３２３が設けられている。サブハウジング３２０には、嵌合部３１５の内壁に係止される左右一対の係止爪３２４と、嵌合部３１５の左右一対の嵌合溝３１６に嵌合する左右一対の突起部３２５とが設けられている。
【００５３】
一方、雌コネクタ４００は、合成樹脂製の雌ハウジング４１０を有する。雌ハウジング４１０には、雄コネクタ３００の雄端子３３０と対応する複数の雌端子４３０（一のみ図示、以下同様）が収容されている。各雌端子４３０は、端子収容室４１３に一つずつ収容されている。各雌端子４３０には図示しない電線が圧着される。雌端子４３０は、電線が圧着された状態で、雌ハウジング４１０の後端の開口部４１０ａから雌ハウジング４１０内に装着される。雌端子４３０の後端部には、端子収容室４１３の内壁に密着するシール部材４３４が設けられている。
【００５４】
雌ハウジング４１０は、雄ハウジング３１０内に挿入される挿入部４１１と、雄ハウジング３１０が挿入される外殻部４１２とを有する。挿入部４１１の前端は開口しており、その開口部４１１ａが、端子収容室４１３と連通している。雄コネクタ３００と雌コネクタ４００とを結合させると、複数の雄端子３３０が挿入部４１１内に挿入され、複数の雌端子４３０と接続される。挿入部４１１の基部には、雄ハウジング３１０の前端部の内壁に密着するシール部材４４１が設けられている。外殻部４１２の開口部４１２ａの周縁部には、雄ハウジング３１０の複数の係止突起３１４と係合する係止部４１４が設けられている。
【００５５】
上記のように、第２実施形態のコネクタ２は、雄ハウジング３１０とサブハウジング３２０との間、雄ハウジング３１０と雄端子３３０との間、及び、雌ハウジング４１０と雌端子４３０との間が、それぞれシール部材３２３、３３４及び４３４によってシールされている。そして、雄コネクタ３００と雌コネクタ４００とを互いに結合したときに、雄ハウジング３１０と雌ハウジング４１０と間がシール部材４４１によってシールされる。したがって、雄コネクタ３００と雌コネクタ４００とを互いに結合することにより、完全な水密構造が実現され、雄コネクタ３００の端子収容室３１１及び雌コネクタ４００の端子収容室４１３への水分の浸入が防止される。
【００５６】
また、上記構成によれば、雄ハウジング３１０の複数の端子収容室３１１に複数の雄端子３３０を収容させた状態で、サブハウジング３２０を雄ハウジング３１０に組み付けることにより、サブハウジング３２０のハウジング側係止部３２２が雄ハウジング３１０に装着された複数の雄端子３３０の端子側係止部３３１に係合する。その結果、複数の雄端子３３０が雄ハウジング３１０内に離脱不能に保持される。
【００５７】
このように、サブハウジング３２０によって複数の雄端子３３０が雄ハウジング３１０内に保持される構成を有することにより、複数の雄端子３３０を保持するための複雑な構造の保持部（ランス部）を雄ハウジング３１０に設ける必要がない。よって、雄ハウジング３１０の構造を簡素化し、雄ハウジング３１０を従来よりも安価に製造することができる。
【００５８】
なお、本発明は上記実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５９】
例えば、上記の例では、雄ハウジング３１０に組み付けたサブハウジング３２０によって雄端子３３０が保持される構成としたが、雌ハウジング４１０側もこれと同様の構成とし、雌ハウジング４１０にサブハウジングを組み付けることにより、そのサブハウジングによって複数の雌端子４３０が保持されるようにしてもよい。このようにすれば、複数の雌端子４３０を保持するための複雑な構造の保持部（ランス部）を雌ハウジング４１０に設ける必要がなくなる。よって、雌ハウジング４１０の構造を簡素化し、雌ハウジング４１０をより安価に製造することができる。
【００６０】
また、第２実施形態のサブハウジング３２０に、第１実施形態と同様に、短絡端子１４０を保持するリテーナ部を設けてもよい。
【００６１】
ここで、上述した本発明に係るコネクタの実施形態の特徴をそれぞれ以下［１］〜［４］に簡潔に纏めて列記する。
［１］  複数の端子収容室（１１１、３１１）を有するコネクタハウジング（雄ハウジング１１０、３１０）と、
前記端子収容室に収容される端子（雄端子１３０、３３０）と、
収容された前記端子を前記端子収容室に保持するリテーナ部（１２１）と、
収容された少なくとも二つの前記端子と接触することにより、当該二つの端子を短絡状態にする短絡端子（１４０）と、
前記短絡端子が装着されるサブハウジング（１２０、３２０）と、
を備えたコネクタ（１、２）であって、
前記コネクタハウジングには、前記端子収容室に開口し、該コネクタハウジングと相手方コネクタハウジング（雌ハウジング２１０、４１０）との嵌合方向と直交する方向に前記サブハウジングが嵌合される嵌合部（１１５、３１５）を有し、
前記サブハウジングには、該サブハウジングが前記コネクタハウジングに嵌合された状態で、前記端子を保持する位置に前記リテーナ部が形成されているとともに前記短絡端子が少なくとも二つの前記端子と接触する位置に該短絡端子が装着されていることを特徴とするコネクタ。
【００６２】
［２］上記［１］に記載のコネクタにおいて、前記相手方コネクタハウジングは、前記コネクタハウジングに嵌合された状態で、前記短絡端子に接触して当該短絡端子を変形させることにより前記短絡状態を解除する短絡解除部材（２１３）が形成されていることを特徴とする、コネクタ。
【００６３】
［３］上記［１］又は［２］に記載のコネクタにおいて、
前記サブハウジングは、外周に装着され、前記嵌合部に嵌合された状態で該嵌合部の内壁に密着するシール部材（１２３、３２３）を有することを特徴とする、コネクタ。
【００６４】
［４］上記［１］乃至［３］のいずれかに記載のコネクタにおいて、
前記リテーナ部及び前記端子は、それぞれ係止部（ハウジング側係止部１２２、端子側係止部１３１）を有し、
前記サブハウジングが前記コネクタハウジングに嵌合された状態で、前記リテーナ部の係止部と前記端子の係止部とが係止することを特徴とする、コネクタ。
【符号の説明】
【００６５】
１、２  コネクタ
１００  雄コネクタ
１１０  雄ハウジング
１１１  端子収容室
１１５  嵌合部
１２０  サブハウジング
１２１  リテーナ部
１２２  ハウジング側係止部
１２３  シール部材
１３０  雄端子（端子）
１３１  端子側係止部
１４０  短絡端子
２００  雌コネクタ
２１０  雌ハウジング（相手方コネクタハウジング）
２１３  短絡解除部材
３００  雄コネクタ
３１０  雄ハウジング
３１１  端子収容室
３１５  嵌合部
３２０  サブハウジング
３２２  ハウジング側係止部
３２３  シール部材
３３０  雄端子（端子）
３３１  端子側係止部
４００  雌コネクタ
４１０  雌ハウジング（相手方コネクタハウジング）
【図１】
2018045833.tif 000003
【図２】
2018045833.tif 000004
【図３】
2018045833.tif 000005
【図４】
2018045833.tif 000006
【図５】
2018045833.tif 000007
【図６】
2018045833.tif 000008
【図７】
2018045833.tif 000009
【図８】
2018045833.tif 000010
【図９】
2018045833.tif 000011
【図１０】
2018045833.tif 000012
【図１１】
2018045833.tif 000013